(57)【要約】【課題】畳の凹凸やフローリングの継目のように微小な溝から塵埃を容易に除去可能な吸込口体、および電気掃除機を提案する。【解決手段】吸込口体２６は、第一吸込口２８と、第一吸込口２８に繋がる吸込室５１と、吸込室５１に繋がる中継管５２と、を有する吸込口本体部３２と、吸込室５１に配置されて吸込口本体部３２に回転自在に支持される回転清掃体２９と、を備えている。回転清掃体２９は、外周部に配置される第二吸込口７３を有している。【選択図】  図３
2019217019.tif 000002
【特許請求の範囲】
【請求項１】
第一吸込口と、前記第一吸込口に繋がる吸込室と、前記吸込室に繋がる吐出口と、を有する吸込口本体部と、
前記吸込室に配置されて前記吸込口本体部に回転可能に支持される回転清掃体と、を備え、
前記回転清掃体は、外周部に配置される第二吸込口を有している吸込口体。
【請求項２】
前記回転清掃体は、前記第二吸込口に繋がる風路を有する軸芯部を備える請求項１に記載の吸込口体。
【請求項３】
前記回転清掃体は、前記軸芯部から突出し、かつ前記第二吸込口を有する軟質な外周部材を備える請求項１または２に記載の吸込口体。
【請求項４】
前記第二吸込口は、前記吸込口本体部の接地面から離れている請求項１から３のいずれか１項に記載の吸込口体。
【請求項５】
前記回転清掃体は、一方向に回転され、かつ回転方向において前記第二吸込口の直後に配置される刷毛を備える請求項１から４のいずれか１項に記載の吸込口体。
【請求項６】
前記第二吸込口は、前記回転清掃体の長手方向に複数並んでいる請求項１から５のいずれか１項に記載の吸込口体。
【請求項７】
前記回転清掃体を前記吸込口本体部に回転可能に支える一対の軸受と、
前記一対の軸受の一方を貫いて前記軸芯部の前記風路と前記吸込室よりも下流側とを連絡する連絡風路と、を備える請求項２に記載の吸込口体。
【請求項８】
前記回転清掃体を前記吸込口本体部に回転可能に支える一対の軸受を備え、
前記一対の軸受の一方は、前記軸芯部に着脱可能に取り付けられている請求項２に記載の吸込口体。
【請求項９】
前記外周部材は、前記軸芯部に着脱可能に設けられている請求項２に記載の吸込口体。
【請求項１０】
前記軸芯部は、
前記吸込口本体部に対して非回転であり、かつ前記吸込口本体部の接地面の方向へ開く吸込開口を有する内側軸芯と、
前記内側軸芯の周囲を回転可能であり、前記第二吸込口が前記吸込口本体部の接地面へ向くと、前記吸込開口と前記第二吸込口とを繋ぐ外側軸芯と、を備える請求項２に記載の吸込口体。
【請求項１１】
掃除機本体と、
前記掃除機本体に収容されて負圧を発生させる電動送風機と、
前記電動送風機に流体的に接続される請求項１から１０のいずれか１項に記載の吸込口体と、を備える電気掃除機。
【発明の詳細な説明】
【技術分野】
【０００１】
本発明に係る実施形態は、吸込口体および電気掃除機に関する。
【背景技術】
【０００２】
けん縮加工された縮れ毛を有する回転清掃体を備える吸込口体が知られている。この縮れ毛は、球形状の先端部を有している。
【０００３】
縮れ毛は、直毛に比べて毛自体がより長く、毛の先端部を曲げる力が加わった場合の屈曲性が良い。そのため、従来の吸込口体は、例えば絨毯のような繊維質の被掃除面において、毛の先端部の球形状部が絨毯をすべるように刷き上げる。このとき、球形状部は、絨毯に絡み付いた繊維状の塵埃を引っ掛けるようにして絨毯から引き離す。絨毯から引き離された塵埃は、吸込負圧によって吸込口体に容易に吸い込まれる。
【０００４】
つまり、従来の吸込口体は、絨毯に絡みついた繊維状の塵埃を効率良く除去する。
【先行技術文献】
【特許文献】
【０００５】
【特許文献１】特開２００３−２１０３６６号公報
【発明の概要】
【発明が解決しようとする課題】
【０００６】
畳の凹凸やフローリングの継目のような微小な溝に入り込んだ塵埃を、球形の先端部を有する縮れ毛で除去することは難しい。
【０００７】
そこで、本発明は、畳の凹凸やフローリングの継目のように微小な溝から塵埃を容易に除去可能な吸込口体、および電気掃除機を提案する。
【課題を解決するための手段】
【０００８】
前記の課題を解決するため本発明の実施形態に係る吸込口体は、第一吸込口と、前記第一吸込口に繋がる吸込室と、前記吸込室に繋がる吐出口と、を有する吸込口本体部と、前記吸込室に配置されて前記吸込口本体部に回転可能に支持される回転清掃体と、を備え、前記回転清掃体は、外周部に配置される第二吸込口を有している。
【０００９】
また、本発明の実施形態に係る電気掃除機は、掃除機本体と、前記掃除機本体に収容されて負圧を発生させる電動送風機と、前記電動送風機に流体的に接続される前記吸込口体と、を備えている。
【図面の簡単な説明】
【００１０】
【図１】本発明の実施形態に係る電気掃除機の外観の斜視図。
【図２】本発明の実施形態に係る吸込口体を右前方から示す斜視図。
【図３】本発明の実施形態に係る吸込口体の模式的な縦断面図。
【図４】本発明の実施形態に係る吸込口体の平面図。
【図５】本発明の実施形態に係る吸込口体の回転清掃体の斜視図。
【図６】本発明の実施形態に係る吸込口体の回転清掃体、軸受、および連絡管の断面図。
【図７】本発明の実施形態に係る吸込口体の他の例の模式的な縦断面図。
【発明を実施するための形態】
【００１１】
本発明に係る吸込口体および電気掃除機の実施形態について、図１から図７を参照して説明する。なお、複数の図面中、同一または相当する構成には同一の符号を付している。
【００１２】
図１は、本発明の実施形態に係る電気掃除機の外観の斜視図である。
【００１３】
図１に示すように、本実施形態に係る電気掃除機１は、いわゆるキャニスタ型である。電気掃除機１は、被掃除面を走行可能な掃除機本体２と、掃除機本体２に着脱可能な管部３と、を備えている。
【００１４】
掃除機本体２は、本体ケース５と、本体ケース５の左右それぞれの側部に設けられる一対の車輪６と、本体ケース５の前半部分に配置される着脱可能な塵埃分離装置７と、本体ケース５の後半部分に収容される電動送風機８と、主に電動送風機８を制御する本体制御部９と、電動送風機８に電力を導く電源コード１１と、を備えている。
【００１５】
掃除機本体２は、電源コード１１を通じて供給される電力で電動送風機８を駆動させる。電動送風機８の駆動によって発生する吸込負圧は、管部３に作用する。電気掃除機１は、管部３に作用する吸込負圧によって、被掃除面から塵埃を含んだ空気（以下、「含塵空気」と呼ぶ。）を吸い込み、含塵空気から塵埃を分離し、分離後の塵埃を捕集し、蓄積する一方、塵埃が除去された清浄な空気を排気する。
【００１６】
本体ケース５の正面部分には、本体接続口１２が設けられている。本体接続口１２は、掃除機本体２の流体的な入口である。本体接続口１２は、管部３を着脱可能な継手構造を有している。本体接続口１２は、管部３を塵埃分離装置７に流体的に接続する。
【００１７】
車輪６は、掃除機本体２を支える大径の走行輪である。掃除機本体２は、車輪６の他に本体ケース５の底面に設けられるキャスター（図示省略）を備えている。
【００１８】
塵埃分離装置７は、掃除機本体２に流れ込む含塵空気から塵埃を分離し、捕集し、蓄積する一方、塵埃が除去された清浄な空気を電動送風機８へ送る。塵埃分離装置７は、塵埃を濾過捕集するフィルタや、遠心分離(サイクロン分離)や直進分離（直進する空気と塵埃との慣性力の差で塵埃と空気とを分離する分離方式）などの慣性分離によって塵埃を蓄積する分離装置である。
【００１９】
電動送風機８は、塵埃分離装置７から空気を吸い込んで負圧（吸込負圧）を発生させる。
【００２０】
本体制御部９は、マイクロプロセッサ（図示省略）、およびマイクロプロセッサが実行する各種演算プログラム、演算プログラムのパラメータなどを記憶する記憶装置（図示省略）を備えている。記憶装置には、予め設定される複数の運転モードが記憶されている。予め設定される複数の運転モードは、管部３が入力を受け付ける使用者の操作に対応している。それぞれの運転モードには、相互に異なる入力値（電動送風機８の入力値）が設定されている。本体制御部９は、管部３が入力を受け付ける使用者の操作に応じて、その操作内容に対応する運転モードを予め設定される複数の運転モードから択一的に選択する。また、本体制御部９は、選択した運転モードの設定内容を記憶部から読み出し、読み出した設定内容にしたがって電動送風機８を運転する。
【００２１】
電源コード１１は、配線用差込接続器（図示省略、所謂コンセント）から掃除機本体２へ電力を供給する。電源コード１１の自由端部には、差込プラグ１４が設けられている。
【００２２】
管部３は、掃除機本体２から作用する負圧によって、被掃除面から含塵空気を吸い込む。また、管部３は、吸い込んだ含塵空気を掃除機本体２へ送る。管部３は、掃除機本体２の本体接続口１２に着脱可能に接続される継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱可能に接続される延長管２５と、延長管２５に着脱可能に接続される吸込口体２６と、を備える。
【００２３】
接続管１９は、本体接続口１２を通じて塵埃分離装置７に流体的に接続されている。
【００２４】
集塵ホース２１は、長尺で可撓な略円筒形のホースである。集塵ホース２１の一方の端部（ここでは、後方の端部）は、接続管１９に流体的に接続される。集塵ホース２１は、接続管１９を通じて塵埃分離装置７に流体的に接続されている。
【００２５】
手元操作管２２は、集塵ホース２１と延長管２５とを繋ぐ風路を有している。手元操作管２２の一方の端部（ここでは、後方の端部）は、集塵ホース２１の他方の端部（ここでは、前方の端部）に流体的に接続される。手元操作管２２は、集塵ホース２１および接続管１９を順次に通じて塵埃分離装置７に流体的に接続されている。
【００２６】
把持部２３は、電気掃除機１を操作するために使用者が手で把持できる部分である。把持部２３は、使用者の手で容易に把持できる適宜の形状で手元操作管２２から突出している。
【００２７】
操作部２４は、それぞれの運転モードの選択操作を受け付けるスイッチを備えている。具体的には、操作部２４は、電動送風機８の運転停止操作を受け付ける停止スイッチ２４ａと、電動送風機８の運転開始操作を受け付ける起動スイッチ２４ｂと、を備える。停止スイッチ２４ａおよび起動スイッチ２４ｂは、本体制御部９に電気的に接続されている。電気掃除機１の使用者は、操作部２４を操作して電動送風機８の運転モードを択一的に選択できる。電動送風機８の運転中、起動スイッチ２４ｂは、運転モードの選択スイッチとしても機能する。電動送風機８の運転中、本体制御部９は、起動スイッチ２４ｂから操作信号を取得する度に運転モードを強→中→弱→強→………の順に切り換える。なお、操作部２４は、単一の起動スイッチ２４ｂに代えて複数の運転モード選択スイッチ、例えば弱運転スイッチ（図示省略）、中運転スイッチ（図示省略）、および強運転スイッチ（図示省略）を個別に備えていても良い。
【００２８】
複数の筒状体を重ね合わせたテレスコピック構造の延長管２５は、伸縮可能な細長略円筒形の管である。延長管２５の一方の端部（ここでは、後方の端部）には、手元操作管２２の他方の端部（ここでは、前方の端部）に着脱可能な継手構造が設けられている。延長管２５は、手元操作管２２、集塵ホース２１、および接続管１９を通じて塵埃分離装置７に流体的に接続されている。
【００２９】
吸込口体２６は、木床やカーペットなどの被掃除面を走行可能あるいは滑走可能である。吸込口体２６は、走行状態または滑走状態において被掃除面に対向する底面に第一吸込口２８を有している。また、吸込口体２６は、第一吸込口２８に配置される回転可能な回転清掃体２９と、回転清掃体２９を回転駆動させる電動機３１と、を備えている。吸込口体２６の一方の端部（ここでは、後方の端部）には、延長管２５の他方の端部（ここでは、前方の端部）に着脱可能な継手構造が設けられている。この継手構造は、自在継手（ユニバーサルジョイント）である。吸込口体２６は、延長管２５、手元操作管２２、集塵ホース２１および接続管１９を通じて塵埃分離装置７に流体的に接続されている。つまり、吸込口体２６、延長管２５、手元操作管２２、集塵ホース２１、接続管１９、および塵埃分離装置７は、電動送風機８から第一吸込口２８へ通じる吸込風路である。
【００３０】
電気掃除機１は、電動送風機８が停止しているとき、起動スイッチ２４ｂで使用者の操作を受け付けると電動送風機８を始動させる。例えば、電気掃除機１は、電動送風機８が停止しているとき、起動スイッチ２４ｂが操作されると、先ず電動送風機８を強運転モードで運転し、再び起動スイッチ２４ｂが操作されると電動送風機８を中運転モードで運転し、三度、起動スイッチ２４ｂが操作されると電動送風機８を弱運転モードで運転し、以下同様に繰り返す。強運転モード、中運転モード、および弱運転モードは、予め設定される複数の運転モードである。強運転モード、中運転モード、弱運転モードの順に電動送風機８に対する入力値が小さい。始動した電動送風機８は、塵埃分離装置７から空気を排気してその内部を負圧（吸込負圧）にする。
【００３１】
塵埃分離装置７に作用する負圧は、本体接続口１２、接続管１９、集塵ホース２１、手元操作管２２、延長管２５、および吸込口体２６を順次に通じて第一吸込口２８に作用する。電気掃除機１は、第一吸込口２８に作用した負圧によって、被掃除面の塵埃を空気とともに吸い込んで被掃除面を掃除する。塵埃分離装置７は、電気掃除機１に吸い込まれた含塵空気から塵埃を分離し、蓄積する一方で、塵埃を分離した後の清浄な空気を電動送風機８へ送る。電動送風機８は塵埃分離装置７から吸い込んだ空気を掃除機本体２外へ排気する。
【００３２】
次に、吸込口体２６を詳細に説明する。
【００３３】
図２は、本発明の実施形態に係る吸込口体を右前方から示す斜視図である。
【００３４】
図２に示すように、本実施形態に係る吸込口体２６は、略直方体形の吸込口本体部３２と、吸込口本体部３２の後部に設けられる接続管部３３と、を備える。
【００３５】
なお、吸込口体２６の前後、左右、上下は、電気掃除機１の使用者を基準に説明する。図２中の実線矢印Ｘの方向は、吸込口体２６の前方または前進方向であり、その反対方向は後方または後退方向である。また、図２中の実線矢印Ｙの方向は、吸込口体２６の左方であり、その反対方向は右方である。さらに、図２中の実線矢印Ｚの方向は、吸込口体２６の上方であり、その反対方向は下方である。
【００３６】
吸込口本体部３２は、前後方向の寸法（奥行き）よりも左右方向の寸法（幅）の方が長い。換言すると、吸込口本体部３２は、前後方向に短辺を有し、左右方向に長辺を有する。吸込口本体部３２は、上方が開放された箱形の下ケース４１と、下ケース４１を覆う上ケース４２と、を備えている。上ケース４２は、前側に配置される上前ケース４３と、後ろ側に配置される上後ケース４４と、を備えている。
【００３７】
接続管部３３は、吸込口本体部３２の後部、かつ幅方向略中央部に設けられる。接続管部３３は、吸込口本体部３２に対して回転可能な回転接続管部４６と、回転接続管部４６に対して揺動可能な揺動接続管部４７と、を備えている。
【００３８】
回転接続管部４６は、吸込口体２６の前後方向に沿う軸（Ｘ軸に一致する軸またはＸ軸に平行な軸）回りに回転する。
【００３９】
揺動接続管部４７は、回転接続管部４６の回転軸（Ｘ軸に一致する軸またはＸ軸に平行な軸）に直交する軸回りに揺動する。揺動接続管部４７の自由端部は、延長管２５の自由端部に着脱可能な継手である。
【００４０】
図３は、本発明の実施形態に係る吸込口体の模式的な縦断面図である。
【００４１】
図４は、本発明の実施形態に係る吸込口体の平面図である。
【００４２】
なお、図４では、上ケース４２が省略されている。
【００４３】
図３および図４に示すように、本実施形態に係る吸込口体２６は、吸込口本体部３２と、吸込口本体部３２に回転可能に支持される回転清掃体２９と、回転清掃体２９の駆動力を発生させる電動機３１と、電動機３１の運転を制御する吸込口体制御部４９と、を備えている。
【００４４】
吸込口本体部３２は、第一吸込口２８と、第一吸込口２８に繋がる吸込室５１と、吸込室５１に繋がる吐出口としての中継管５２と、を有している。また、吸込口本体部３２は、電動機３１が収容される機械室５３と、吸込口体制御部４９が収容される制御室５５と、を有している。
【００４５】
吸込口本体部３２の下ケース４１および上後ケース４４は、機械室５３の大部分と、制御室５５と、を区画している。下ケース４１、上前ケース４３、および上後ケース４４は、吸込室５１を区画している。換言すると、下ケース４１は、吸込室５１の下半部と、機械室５３の下半部と、制御室５５の下半部と、を区画している。上後ケース４４は、機械室５３の大部分の上半部および制御室５５の上半部を区画し、かつ機械室５３の大部分の上方および制御室５５の上方を塞いでいる。上前ケース４３、および上後ケース４４は、吸込室５１の上半部を区画し、かつ吸込室５１の上方を塞いでいる。上前ケース４３は、吸込室５１の外壁に相当する。上後ケース４４は、吸込室５１の上半部と機械室５３の上半部とを隔て、吸込室５１の上半部と制御室５５の上半部とを隔てている。
【００４６】
吸込室５１は、吸込口本体部３２の前半部に区画されている。吸込室５１は、吸込口本体部３２の幅方向に延びている。吸込室５１は、吸込口本体部３２の底面に配置される第一吸込口２８に繋がっている。換言すると、吸込室５１は、第一吸込口２８を通じて開放されている。
【００４７】
機械室５３は、吸込口本体部３２の後半部の左半部から左側部に渡っている。換言すると、機械室５３は、吸込室５１の左側方、および後方の左半部を囲んでいる。機械室５３のうち吸込室５１の左側方部分は、上前ケース４３および下ケース４１で区画されている。
【００４８】
制御室５５は、吸込口本体部３２の後半部の右半部に配置されている。
【００４９】
回転清掃体２９は、吸込室５１に配置されている。回転清掃体２９は、ローラー状の清掃体であり、一対の軸受５７、５８を介して吸込口本体部３２に支えられている。換言すると、一対の軸受５７、５８は、吸込口本体部３２に回転清掃体２９を回転可能に支えている。一対の軸受５７、５８は、回転清掃体２９のそれぞれの端部に設けられている。
【００５０】
電動機３１は、機械室５３のうち吸込室５１の後方部分に配置される。電動機３１は、吸込口本体部３２の左側壁内面に向けて突出する出力軸３１ａを備えている。出力軸３１ａの回転中心線は、回転清掃体２９の回転中心線に実質的に平行している。
【００５１】
吸込口体制御部４９は、掃除機本体２から接続管１９、集塵ホース２１、手元操作管２２および延長管２５を経て供給される電力によって電動機３１を運転する。
【００５２】
吸込口体２６は、吸込室５１と接続管部３３（より詳しくは、回転接続管部４６）とを流体的に接続する中継管５２と、中継管５２から回転清掃体２９に達する連絡風路５９と、電動機３１を吸込口本体部３２に浮動支持する電動機支持部６１と、電動機３１の出力軸３１ａに固定される主動歯車６２と、回転清掃体２９に設けられる従動歯車６３と、主動歯車６２と従動歯車６３とに巻掛けられて電動機３１から回転清掃体２９へ駆動力を伝える無端状のベルト６４と、を備えている。
【００５３】
中継管５２は、吸込室５１の吐出口である。中継管５２は、吸込室５１の後方中央部、つまり機械室５３と制御室５５との間に配置されている。中継管５２は、機械室５３と制御室５５とを隔てている。
【００５４】
連絡風路５９は、吸込室５１よりも下流側の風路、具体的には中継管５２に繋がっている。連絡風路５９は、中継管５２の壁面から延びて吸込室５１を横断し、吸込口本体部３２の右側部を経て一対の軸受５７、５８の一方である軸受５７に達している。
【００５５】
電動機支持部６１は、吸込口本体部３２と電動機３１との間に介在して振動を遮断する。電動機支持部６１はシリコンゴムなどのゴム弾性体またはバネなどの弾性体である。電動機支持部６１は電動機３１の運転にともなう振動が吸込口本体部３２に伝わらないよう絶縁する一方、吸込口本体部３２に加わる衝撃的な外力が電動機３１に伝わらないよう絶縁する。
【００５６】
主動歯車６２、従動歯車６３、およびベルト６４は、電動機３１から回転清掃体２９への駆動力を伝達する動力伝達機構６５である。主動歯車６２は、機械室５３のうち吸込室５１の後方部分に配置されている。従動歯車６３は、吸込室５１の左側方部分に配置されている。ベルト６４は、機械室５３のうち吸込室５１の後方部分から吸込室５１の左側方部分に渡って配置されている。
【００５７】
次いで、回転清掃体２９について詳細に説明する。
【００５８】
図５は、本発明の実施形態に係る吸込口体の回転清掃体の斜視図である。
【００５９】
図３および図４に加えて図５に示すように、本実施形態に係る吸込口体２６の回転清掃体２９は、軸芯部７１と、軸芯部７１から突出する外周部材としての複数のブレード７２と、を備えている。また、回転清掃体２９は、外周部に配置される第二吸込口７３を有している。
【００６０】
軸芯部７１は筒状である。筒の内側は風路７５である。つまり、軸芯部７１は、その内部に風路７５を有している。風路７５は、第二吸込口７３に繋がっている。
【００６１】
軸芯部７１は、多重、例えば二重になっている。内側軸芯７６は、吸込口本体部３２に対して回転せず（非回転であり）、外側軸芯７７は、内側軸芯７６の周囲を回転可能である。風路７５は、内側軸芯７６の内側の空間である。
【００６２】
内側軸芯７６は、Ｃ形の断面形状を有している。換言すると、内側軸芯７６は、第一吸込口２８の開口方向、つまり回転清掃体２９の接地面Ｐの方向へのみ開く吸込開口７８を有している。他方、外側軸芯７７は、ブレード７２を着脱可能に保持している。つまり、外側軸芯７７とブレード７２とは、内側軸芯７６のまわりを一体で回転する。それぞれのブレード７２は、外側軸芯７７の回転にともなって吸込口本体部３２の接地面Ｐ、ひいては被掃除面ｆに近づいたり遠ざかったりする。
【００６３】
外側軸芯７７は、ブレード７２の根元部分を保持する保持溝７９を有している。保持溝７９は、外側軸芯７７のいずれか一方の端部に達している。ブレード７２は、保持溝７９の開放端から差し込まれる。
【００６４】
複数のブレード７２は、回転清掃体２９の周方向に、実質的に等間隔に配置されている。それぞれのブレード７２は、回転清掃体２９の径方向において軸芯部７１を中心に放射状に延び、かつ回転清掃体２９の軸方向において軸芯部７１の外周部に螺旋状に巻き付けられている。ブレード７２は、例えばシリコンゴムのような軟質な材料の成型品である。ブレード７２の先端部（突出端部、自由端部）には、第二吸込口７３が設けられている。ブレード７２は、軸芯部７１の風路７５と第二吸込口７３とを繋げる風路８１を有する中空体である。
【００６５】
ブレード７２が外側軸芯７７の回転にともなって吸込口本体部３２の接地面Ｐに近づき、ブレード７２の、第二吸込口７３が吸込口本体部３２の接地面Ｐへ向くと、ブレード７２内の風路８１が内側軸芯７６の吸込開口７８に繋がって、第二吸込口７３に負圧が作用する。つまり、外側軸芯７７は、第二吸込口７３が吸込口本体部３２の接地面Ｐへ向くと、内側軸芯７６の吸込開口７８とブレード７２の第二吸込口７３とを繋いで、第二吸込口７３に負圧を作用させる。
【００６６】
なお、図５に示すブレード７２は、ブレード７２自体の板厚に比べて広い間隔を隔てて並んでいるが、ブレード７２自体が軸芯部７１の周方向により厚く、間隔の方が狭いものであっても良い。
【００６７】
第二吸込口７３は、吸込口本体部３２の接地面Ｐから離れている。つまり、第二吸込口７３は、回転清掃体２９が回転している状態であっても、常に吸込口本体部３２の接地面Ｐよりも上方を移動している。第二吸込口７３は、回転清掃体２９の長手方向に複数並んでいる。つまり、ブレード７２は、先端部に沿って並ぶ複数の第二吸込口７３を有している。隣り合う第二吸込口７３の間には、リブ状の仕切８２が設けられている。第二吸込口７３は、途中で仕切られることなく、ブレード７２の全長に渡って一続きに開口していても良い。
【００６８】
図６は、本発明の実施形態に係る吸込口体の回転清掃体、軸受、および連絡管の断面図である。
【００６９】
図６に示すように、本実施形態に係る吸込口体２６の連絡風路５９は、一対の軸受５７、５８の一方である軸受５７を貫いて軸芯部７１の風路７５と吸込室５１よりも下流側の風路、具体的には中継管５２とを連絡している。
【００７０】
軸受５７は、回転清掃体２９の軸芯部７１を保持する外スリーブ８５と、連絡風路５９に接続される内スリーブ８６と、内スリーブ８６に固定されて外スリーブ８５を回転可能に支持する軸受リング８７（いわゆるメタル）と、を備えている。
【００７１】
内スリーブ８６、および連絡風路５９は、着脱可能な継手部８９を備えている。継手部８９には、シール材、例えばＯリング（図示省略）が挟み込まれている。なお、内スリーブ８６は、軸芯部７１の内側軸芯７６に一体化されていても良い。この場合、内スリーブ８６と内側軸芯７６との継手部８９には、内側軸芯７６の吸込開口７８の方向を決めるための位置決め、例えば凹凸（図示省略）を有することが好ましい。
【００７２】
外スリーブ８５は、軸受リング８７の外周面を囲う適宜の形状のハウジング部９１と、軸芯部７１の外側軸芯７７に着脱自在に連結されるカップリング部９２と、を備えている。
【００７３】
カップリング部９２は、例えば凹凸（図示省略）によって軸芯部７１の外側軸芯７７に連結されている。つまり、軸受５７は、軸芯部７１に着脱可能、かつ回転一体に取り付けられている。なお、動力伝達機構６５に近い側の軸受５８が、軸芯部７１に着脱可能に取り付けられていても良い。つまり、一対の軸受５７、５８の一方が、軸芯部７１に着脱可能に取り付けられていれば良い。なお、外側軸芯７７の保持溝７９は、着脱可能な軸受５７、５８が装着される軸端へ解放している。
【００７４】
本実施形態に係る吸込口体２６は、従来の吸込口体のように底面の第一吸込口２８から空気とともに被掃除面ｆ上の塵埃を吸い込む。第一吸込口２８に吸い込まれた塵埃は、吸込室５１、中継管５２、および接続管部３３を経て掃除機本体２へ案内される。
【００７５】
ところで、図３に示すように、例えば畳やフローリングのような被掃除面ｆには、畳の目やフローリングの継目のような微小な溝Ｇがある。このような微小な溝Ｇに入り込んだ細かい塵埃は、第一吸込口２８に吸い込まれる空気によって除去することが難しい。
【００７６】
そこで、本実施形態に係る吸込口体２６は、回転清掃体２９の第二吸込口７３が被掃除面ｆに近づくと、軸芯部７１の風路７５と第二吸込口７３とを流体的に接続して第二吸込口７３から急激に空気を吸い込む。第二吸込口７３は、第一吸込口２８よりも開口面積が極めて小さい。そのため、第二吸込口７３に吸い込まれる空気の流れは、第一吸込口２８に吸い込まれる空気の流れよりも速くなる。また、第二吸込口７３は、微小な溝Ｇからより直接的に空気を吸い上げる。この微小な溝Ｇにおける空気の流れは、微小な溝Ｇに入り込んだ細かい塵埃を舞い上げ、第二吸込口７３に案内する。また、微小な溝Ｇから舞い上がった細かい塵埃は、第一吸込口２８へも吸い込まれる。
【００７７】
次に、本実施形態に係る吸込口体２６の他の例を説明する。なお、他の例として説明する吸込口体２６Ａにおいて吸込口体と同じ構成には同一の符号を付し、重複する説明は省略する。
【００７８】
図７は、本発明の実施形態に係る吸込口体の他の例の模式的な縦断面図である。
【００７９】
図７に示すように、本実施形態に係る吸込口体２６Ａは、第二吸込口７３に併設される刷毛９５を備えている。
【００８０】
吸込口体２６Ａの回転清掃体２９は、図７の実線矢印で示す一方向に回転される。この回転方向は、吸込口体２６の前進を補助する方向である。そして、刷毛９５は、回転清掃体２９の回転方向において第二吸込口７３の直後に配置されている。
【００８１】
第二吸込口７３は吸込口本体部３２の接地面Ｐから離れている一方、刷毛９５は、回転清掃体２９の回転にともなって被掃除面ｆを掃き上げられるよう、吸込口本体部３２の接地面Ｐよりも突出している。刷毛９５は、第二吸込口７３に沿ってブレード７２の全長に渡って設けられていることが好ましい。
【００８２】
本実施形態に係る吸込口体２６Ａは、回転清掃体２９の第二吸込口７３が被掃除面ｆに近づくと、軸芯部７１の風路７５と第二吸込口７３とを流体的に接続して第二吸込口７３から急激に空気を吸い込む。第二吸込口７３は、第一吸込口２８よりも開口面積が極めて小さい。そのため、第二吸込口７３に吸い込まれる空気の流れは、第一吸込口２８に吸い込まれる空気の流れよりも速い。また、第二吸込口７３は、微小な溝Ｇからより直接的に空気を吸い上げる。この微小な溝Ｇにおける空気の流れは、微小な溝Ｇに入り込んだ細かい塵埃を舞い上げる。そして、微小な溝Ｇから舞い上げられた塵埃は、刷毛９５によって掃き上げられ、第二吸込口７３に案内される。また、刷毛９５によって掃き上げられた細かい塵埃は、第一吸込口２８へも吸い込まれる。
【００８３】
本実施形態に係る吸込口体２６、２６Ａおよび電気掃除機１は、回転清掃体２９の外周部に配置される第二吸込口７３を備えている。そのため、吸込口体２６、２６Ａおよび電気掃除機１は、畳の目やフローリングの継目のような微小な溝Ｇに入り込んだ細かい塵埃を直接的に吸い上げる。この微小な溝Ｇにおける空気の流れによって、吸込口体２６および電気掃除機１は、微小な溝Ｇに入り込んだ細かい塵埃を掃除することができる。
【００８４】
また、本実施形態に係る吸込口体２６、２６Ａおよび電気掃除機１は、第二吸込口７３に繋がる風路７５を有する軸芯部７１を備えている。そのため、吸込口体２６、２６Ａおよび電気掃除機１は、回転する回転清掃体２９の第二吸込口７３に、簡潔な構造によって吸込負圧を作用させることができる。
【００８５】
さらに、本実施形態に係る吸込口体２６、２６Ａおよび電気掃除機１は、軸芯部７１から突出し、かつ第二吸込口７３を有する軟質な外周部材としてのブレード７２を備えている。そのため、吸込口体２６、２６Ａおよび電気掃除機１は、仮に被掃除面ｆが凹凸を有し、被掃除面ｆの凸部が吸込口本体部３２の接地面Ｐより上方へ達してブレード７２に接触しても、被掃除面ｆを傷つけることがない。
【００８６】
さらにまた、本実施形態に係る吸込口体２６、２６Ａおよび電気掃除機１は、吸込口本体部３２の接地面Ｐから離れている第二吸込口７３を有している。そのため、吸込口体２６、２６Ａおよび電気掃除機１は、ブレード７２が被掃除面ｆに接して第二吸込口７３を閉ざしてしまう可能性が低く、被掃除面ｆの微小な溝Ｇから確実に空気を吸い込んで気流を生じさせることができる。この気流は、微小な溝Ｇに入り込んだ塵埃を確実に吸い上げる。
【００８７】
また、本実施形態に係る吸込口体２６Ａおよび電気掃除機１は、回転清掃体２９の回転方向において第二吸込口７３の直後に配置される刷毛９５を備えている。そのため、吸込口体２６Ａおよび電気掃除機１は、被掃除面ｆの微小な溝Ｇから吸い上げた塵埃を被掃除面ｆから掃き上げて、より確実に第一吸込口２８へ吸い込むことができる。
【００８８】
さらに、本実施形態に係る吸込口体２６、２６Ａおよび電気掃除機１は、回転清掃体２９の長手方向に並ぶ複数の第二吸込口７３を備えている。そのため、吸込口体２６、２６Ａおよび電気掃除機１は、吸い込んだ塵埃で第二吸込口７３全体が閉塞してしまうことを抑制できる。
【００８９】
さらにまた、本実施形態に係る吸込口体２６、２６Ａおよび電気掃除機１は、軸受５７を貫いて軸芯部７１の風路７５と中継管５２とを連絡する連絡風路５９を備えている。そのため、吸込口体２６、２６Ａおよび電気掃除機１は、第二吸込口７３に作用させる吸込負圧を電動送風機８以外の手段で発生させる必要がなく、また第二吸込口７３に吸い込んだ塵埃を第一吸込口２８に吸い込まれた塵埃と合流させて蓄積することができる。
【００９０】
また、本実施形態に係る吸込口体２６、２６Ａおよび電気掃除機１は、軸芯部７１に着脱可能に取り付けられている少なくとも１つの軸受５７、５８を備えている。そのため、吸込口体２６、２６Ａおよび電気掃除機１は、軸芯部７１内の風路７５を容易に清掃することができる。
【００９１】
さらに、本実施形態に係る吸込口体２６、２６Ａおよび電気掃除機１は、軸芯部７１に着脱可能に設けられるブレード７２を備えている。そのため、吸込口体２６、２６Ａおよび電気掃除機１は、微細な塵埃が付着したブレード７２を容易に清掃することができる。
【００９２】
さらにまた、本実施形態に係る吸込口体２６、２６Ａおよび電気掃除機１は、吸込口本体部３２に対して非回転であり、かつ吸込口本体部３２の接地面の方向へ開く吸込開口７８を有する内側軸芯７６と、内側軸芯７６の周囲を回転可能であり、第二吸込口７３が吸込口本体部３２の接地面へ向くと、吸込開口７８と第二吸込口７３とを繋ぐ外側軸芯７７と、を備えている。そのため、吸込口体２６、２６Ａおよび電気掃除機１は、回転する回転清掃体２９の第二吸込口７３が被掃除面ｆ（接地面Ｐ）へ向いたときに、第二吸込口７３に吸込負圧を効率的に作用させ、微小な溝Ｇに入り込んだ細かい塵埃を、より確実に除去することができる。
【００９３】
したがって、本実施形態に係る吸込口体２６、２６Ａ、および電気掃除機１によれば、畳の凹凸やフローリングの継目のように微小な溝Ｇから塵埃を容易に除去することができる。
【００９４】
なお、本実施形態に係る電気掃除機１は、キャニスタ型のものに限らず、アップライト型、スティック型、あるいはハンディ型などのものであってもよい。
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
１…電気掃除機、２…掃除機本体、３…管部、５…本体ケース、６…車輪、７…塵埃分離装置、８…電動送風機、９…本体制御部、１１…電源コード、１２…本体接続口、１４…差込プラグ、１９…接続管、２１…集塵ホース、２２…手元操作管、２３…把持部、２４…操作部、２４ａ…停止スイッチ、２４ｂ…起動スイッチ、２５…延長管、２６、２６Ａ…吸込口体、２８…第一吸込口、２９…回転清掃体、３１…電動機、３１ａ…出力軸、３２…吸込口本体部、３３…接続管部、４１…下ケース、４２…上ケース、４３…上前ケース、４４…上後ケース、４６…回転接続管部、４７…揺動接続管部、４９…吸込口体制御部、５１…吸込室、５２…中継管、５３…機械室、５５…制御室、５７、５８…軸受、５９…連絡風路、６１…電動機支持部、６２…主動歯車、６３…従動歯車、６４…ベルト、６５…動力伝達機構、７１…軸芯部、７２…ブレード、７３…第二吸込口、７５…風路、７６…内側軸芯、７７…外側軸芯、７８…吸込開口、７９…保持溝、８１…風路、８２…仕切、８５…外スリーブ、８６…内スリーブ、８７…軸受リング、８９…継手部、９１…ハウジング部、９２…カップリング部、９５…刷毛。
【図１】
2019217019.tif 000003
【図２】
2019217019.tif 000004
【図３】
2019217019.tif 000005
【図４】
2019217019.tif 000006
【図５】
2019217019.tif 000007
【図６】
2019217019.tif 000008
【図７】
2019217019.tif 000009